(57)【要約】【課題】  記録保存された音声情報のファイルの編集性を向上させて、使い勝手を格段的に向上させ得る記録再生装置及びその方法並びにプログラムを提案する。【解決手段】  記録再生装置及びその方法並びにプログラムにおいて、選択された音声情報のファイルの一部が不要とされた場合、表示されている各画像のうちファイルの一部の開始時点及び終了時点に位置する各画像を指定し、指定された開始時点の画像から終了時点の画像までの区間に対応するファイルの一部を削除した後、当該区間の前後のファイルの残部を結合するようにした。【選択図】        図２１
2006074516.tif 000002
【特許請求の範囲】
【請求項１】
可搬型の記録再生装置において、
外部音を集音し、集音結果に応じた音声情報を出力する集音手段と、
外部を撮像し、撮像結果に応じた画像情報を出力する撮像手段と、
上記音声情報を用件単位でファイル化して所定の記録媒体に記録すると共に、外部操作に応じて、上記画像情報を対応する上記音声情報のファイルと関連付けて当該記録媒体に記録する記録手段と、
各上記音声情報の上記ファイルとそれぞれ関連付けられた上記画像情報に基づく各画像を表示する表示手段と、
選択された上記音声情報のファイルの一部が不要とされた場合、上記表示手段に表示されている各上記画像のうち上記ファイルの一部の開始時点及び終了時点に位置する各上記画像を指定するための画像指定手段と、
上記画像指定手段により指定された上記開始時点の画像から上記終了時点の画像までの区間に対応する上記ファイルの一部を削除した後、当該区間の前後の上記ファイルの残部を結合する編集手段と
を具えることを特徴とする記録再生装置。
【請求項２】
上記編集手段は、
上記画像指定手段により上記開始時点の画像又は上記終了時点の画像のいずれか指定された画像のみを削除する
ことを特徴とする請求項１に記載の記録再生装置。
【請求項３】
上記編集手段は、
上記終了時点に上記ファイルの一部が存在しない場合には、当該終了時点の画像のみを削除する
ことを特徴とする請求項１に記載の記録再生装置。
【請求項４】
外部音を集音することにより得られた音声情報を用件単位でファイル化して所定の記録媒体に記録すると共に、外部操作に応じて、外部を撮像することにより得られた上記画像情報を対応する上記音声情報のファイルと関連付けて当該記録媒体に記録する第１のステップと、
各上記音声情報の上記ファイルとそれぞれ関連付けられた上記画像情報に基づく各画像を表示する第２のステップと、
選択された上記音声情報のファイルの一部が不要とされた場合、表示されている各上記画像のうち上記ファイルの一部の開始時点及び終了時点に位置する各上記画像を指定する第３のステップと、
指定された上記開始時点の画像から上記終了時点の画像までの区間に対応する上記ファイルの一部を削除した後、当該区間の前後の上記ファイルの残部を結合する第４のステップと
を具えることを特徴とする記録再生方法。
【請求項５】
上記第４のステップでは、
上記開始時点の画像又は上記終了時点の画像のいずれか指定された画像のみを削除する
ことを特徴とする請求項４に記載の記録再生方法。
【請求項６】
上記第４のステップでは、
上記終了時点に上記ファイルの一部が存在しない場合には、当該終了時点の画像のみを削除する
ことを特徴とする請求項４に記載の記録再生方法。
【請求項７】
外部音を集音することにより得られた音声情報を用件単位でファイル化して所定の記録媒体に記録すると共に、外部操作に応じて、外部を撮像することにより得られた上記画像情報を対応する上記音声情報のファイルと関連付けて当該記録媒体に記録する第１のステップと、
各上記音声情報の上記ファイルとそれぞれ関連付けられた上記画像情報に基づく各画像を表示する第２のステップと、
選択された上記音声情報のファイルの一部が不要とされた場合、表示されている各上記画像のうち上記ファイルの一部の開始時点及び終了時点に位置する各上記画像を指定する第３のステップと、
指定された上記開始時点の画像から上記終了時点の画像までの区間に対応する上記ファイルの一部を削除した後、当該区間の前後の上記ファイルの残部を結合する第４のステップと
をコンピュータに実行させるためのプログラム。
【請求項８】
上記第４のステップでは、
上記開始時点の画像又は上記終了時点の画像のいずれか指定された画像のみを削除する
ことを特徴とする請求項７に記載のプログラム。
【請求項９】
上記第４のステップでは、
上記終了時点に上記ファイルの一部が存在しない場合には、当該終了時点の画像のみを削除する
ことを特徴とする請求項７に記載のプログラム。
【発明の詳細な説明】
【技術分野】
【０００１】
本発明は、記録再生装置及びその方法並びにプログラムに関し、例えばカメラ付きＩＣ（Integrated Circuit）レコーダに適用して好適なものである。
【背景技術】
【０００２】
従来、携帯型の音声記録再生装置として、ＩＣレコーダがある。このＩＣレコーダは、内蔵するマイクロホンによって外部音声を集音し、得られた音声データを圧縮符号化処理して内蔵する半導体メモリや装填されたメモリスティック（ソニー株式会社  登録商標）等の外部メモリに記録するものである（例えば、特許文献１）。
【０００３】
このようなＩＣレコーダは、小型軽量に構成され、可搬性にも優れているため、近年では会議や打ち合わせ等のビジネスシーンにおいて用いられる一方で、ビジネスシーン以外でもパーソナルユースの音声メモ機器として広く用いられている。
【特許文献１】特開２００３−２７１２８０公報
【発明の開示】
【発明が解決しようとする課題】
【０００４】
ところが、かかる従来のＩＣレコーダでは、指定された音声ファイルのうち不要な一部分を削除する場合、先ずユーザは不要部分の開始時点と終了時点とを指定して当該不要部分を１つのファイルとして生成した後、そのファイルを削除し、さらに分割された音声ファイルを結合する作業を行う必要がある。
【０００５】
ところで、この種のＩＣレコーダでは、そのＩＣレコーダに記録保存されている各音声ファイルについて、予め所望時点ごとにブックマーク（しおり）を付加しておき、再生時に指定した音声ファイルのうちブックマークに存在する時点から再生し得る機能を有するものがある。
【０００６】
しかしながら、かかるブックマーク機能を用いて所望のブックアークと次のブックマークとの間を不要部分として、当該ブックマークごとに音声ファイルを部分的に削除することができるのが非常に望ましい。
【０００７】
本発明は以上の点を考慮してなされたもので、記録保存された音声情報のファイルの編集性を向上させて、使い勝手を格段的に向上させ得る記録再生装置及びその方法並びにプログラムを提案しようとするものである。
【課題を解決するための手段】
【０００８】
かかる課題を解決するため本発明においては、可搬型の記録再生装置において、集音手段から出力される音声情報を用件単位でファイル化して所定の記録媒体に記録すると共に、外部操作に応じて、撮像手段から出力される画像情報を対応する音声情報のファイルと関連付けて当該記録媒体に記録する記録手段と、各音声情報のファイルとそれぞれ関連付けられた画像情報に基づく各画像を表示する表示手段と、選択された音声情報のファイルの一部が不要とされた場合、表示手段に表示されている各画像のうちファイルの一部の開始時点及び終了時点に位置する各画像を指定するための画像指定手段と、画像指定手段により指定された開始時点の画像から終了時点の画像までの区間に対応するファイルの一部を削除した後、当該区間の前後のファイルの残部を結合する編集手段とを設けるようにした。
【０００９】
この結果この記録再生装置では、記録媒体に記録保存された各音声情報のファイルの一部を削除する場合、ユーザは表示手段に表示された各画像の中から、当該ファイルの一部の開始時点及び終了時点に位置する各画像を指定するだけで、その開始時点の画像から終了時点の画像までの区間に対応するファイルの一部を削除した後、当該区間の前後のファイルの残部を結合するといった一連の編集作業を迅速かつ容易に行うことができる。
【００１０】
また本発明においては、記録再生方法及びプログラムにおいて、外部音を集音することにより得られた音声情報を用件単位でファイル化して所定の記録媒体に記録すると共に、外部操作に応じて、外部を撮像することにより得られた画像情報を対応する音声情報のファイルと関連付けて当該記録媒体に記録する第１のステップと、各音声情報のファイルとそれぞれ関連付けられた画像情報に基づく各画像を表示する第２のステップと、選択された音声情報のファイルの一部が不要とされた場合、表示されている各画像のうちファイルの一部の開始時点及び終了時点に位置する各画像を指定する第３のステップと、指定された開始時点の画像から終了時点の画像までの区間に対応するファイルの一部を削除した後、当該区間の前後のファイルの残部を結合する第４のステップとを設けるようにした。
【００１１】
この結果この記録再生方法及びプログラムでは、記録媒体に記録保存された各音声情報のファイルの一部を削除する場合、ユーザは表示手段に表示された各画像の中から、当該ファイルの一部の開始時点及び終了時点に位置する各画像を指定するだけで、その開始時点の画像から終了時点の画像までの区間に対応するファイルの一部を削除した後、当該区間の前後のファイルの残部を結合するといった一連の編集作業を迅速かつ容易に行うことができる。
【発明の効果】
【００１２】
上述のように本発明によれば、記録再生装置及びその方法並びにプログラムにおいて、外部音を集音することにより得られた音声情報を用件単位でファイル化して所定の記録媒体に記録すると共に、外部操作に応じて、外部を撮像することにより得られた画像情報を対応する音声情報のファイルと関連付けて当該記録媒体に記録し、各音声情報のファイルとそれぞれ関連付けられた画像情報に基づく各画像を表示し、選択された音声情報のファイルの一部が不要とされた場合、表示されている各画像のうちファイルの一部の開始時点及び終了時点に位置する各画像を指定し、指定された開始時点の画像から終了時点の画像までの区間に対応するファイルの一部を削除した後、当該区間の前後のファイルの残部を結合するようにしたことにより、削除対象となる音声情報のファイルの一部を表示手段に表示された各画像に基づいて容易かつ迅速に指定することができ、かくして記録保存された音声情報のファイルの編集性を向上させて、使い勝手を格段的に向上させ得る記録再生装置及びその方法並びにプログラムを実現できる。
【発明を実施するための最良の形態】
【００１３】
以下図面について、本発明の一実施の形態を詳述する。
【００１４】
（１）本実施の形態によるカメラ付きＩＣレコーダ１の構成
図１〜図３において、１は全体として本実施の形態によるカメラ付きＩＣレコーダ１を示し、全体として丸みを帯びた縦長形状の本体部２の上部に、ＣＣＤ（Charge Coupled Device）カメラ３が取り付けられたＬＣＤカバー部４が上方向（矢印ｚ方向）にスライド自在に配設されている。
【００１５】
本体部２においては、背面２Ａの上部左右両側にそれぞれ集音孔５Ａ、５Ｂが穿設されると共に、これら集音孔にそれぞれ対応させてその内部にマイクロホン２０Ａ、２０Ｂ（図５）が収納されており、かくしてこれらマイクロホン２０Ａ、２０Ｂが対応する集音孔５Ａ、５Ｂを介して外部音声を集音し得るようになされている。
【００１６】
また本体部２の前面２Ｂの中段位置には録音ボタン６Ａが配設されており、この録音ボタン６Ａを押圧操作することによって、各マイクロホン２０Ａ、２０Ｂにより集音された外部音声の録音動作を開始させることができるようになされている。
【００１７】
さらに本体部２の前面２Ｂの上段位置には、図３に示すように、高解像度のカラー液晶ディスプレイでなるＬＣＤ７が配設されている。そしてこのＬＣＤ７の下側には、ライブビューボタン６Ｂが配設されており、この図３のようにＬＣＤカバー部４を上方向に引き出して開状態にし、かつ後述のようにＬＣＤカバー部４のカメラカバー８をＣＣＤカメラ３が露出するように回転させた開状態にした状態において、このライブビューボタン６Ｂを押圧操作することによって、そのときＣＣＤカメラ３により撮像されている動画像をＬＣＤ７に表示させることができるようになされている。
【００１８】
さらに本体部２の前面２Ｂの中段におけるライブビューボタン６Ｂの左横には、カメラシャッタボタン６Ｃが配設されており、ＬＣＤ７に動画像が表示されている状態においてこのカメラシャッタボタン６Ｃを押圧操作することによって、ＬＣＤ７に表示されていた動画像のうちのカメラシャッタボタン６Ｃを押圧操作した瞬間の１フレーム分の静止画像を取り込んで保存させることができるようになされている。これによりこのカメラ付きＩＣレコーダ１においては、ＬＣＤ７に表示された動画像を目視確認しながら、所望の静止画像を保存し得るようになされている。
【００１９】
一方、本体部２の右側面２Ｃには、メニューボタン６Ｄが配設されており、このメニューボタン６Ｄを押圧操作することによって、ＬＣＤ７に所定のメニュー画面を表示させることができるようになされている。また本体部２の右側面２Ｃにおけるメニューボタン６Ｄの下側にはジョグレバー６Ｅが配設されており、このジョグレバー６Ｅを上下左右方向に倒すように操作したり、このジョグレバー６Ｅを押圧操作することによって、メニュー画面内に表示された各種選択肢の中から所望の選択肢を選択したり、その選択肢を選択対象として決定することができるようになされている。
【００２０】
さらに本体部２の右側面２Ｃにおけるジョグレバー６Ｅの下側には、停止ボタン６Ｆが配設されると共に、当該停止ボタン６Ｆの下側にはボリュームボタン６Ｇが配設されており、この停止ボタン６Ｆを押圧操作することによって録音動作や再生動作を停止させることができ、また再生動作時にボリュームボタン６Ｇの上側又は下側を押圧操作することによって、このときＬＣＤ７の裏側に配設されたスピーカ３２（図５）から出力される再生音声の音量を上げ又は下げることができるようになされている。
【００２１】
さらに本体部２の右側面２Ｃにおけるボリュームボタン６Ｇの下側には、ボイスアップスイッチ６Ｈが配設されており、このボイスアップスイッチ６Ｈを再生動作時にオン設定しておくことによって、録音動作時に大きな音量で録音された音声の音量をそのままに維持しながら、小さい音量で録音された音声を大きな音量で出力させることができるようになされている。
【００２２】
他方、本体部２の左側面２Ｄには、電源コネクタ９が配設されており、所定の電源供給キットのプラグをこの電源コネクタ９に挿入することによって、このカメラ付きＩＣレコーダ１に電源電圧を供給したり、当該カメラ付きＩＣレコーダ１内に内蔵された図示しない電池に対する充電を行い得るようになされている。
【００２３】
また本体部２の左側面２Ｄにおける電源コネクタ９の下側には、ＵＳＢ（Universal Serial Bus）コネクタ１０が配設されており、このＵＳＢコネクタ１０を介してパーソナルコンピュータ等の外部機器とＵＳＢ接続することができるようになされている。これによりこのカメラ付きＩＣレコーダ１においては、かかるＵＳＢ接続された外部機器との間でこのカメラ付きＩＣレコーダ１に保存された録音音声の音声データや録画画像の画像データを外部機器に出力したり、当該外部機器から与えられる音声データや画像データを取り込み得るようになされている。
【００２４】
なお本体部２の前面２ＢにおけるＬＣＤ７の直下には、充電時に点灯する充電用ＬＥＤ（Light Emitting Diode）１１と、録音動作時や再生動作時に点灯するオペレーション用ＬＥＤ１２とが配設されており、かくしてユーザがこれら充電用ＬＥＤ１１及びオペレーション用ＬＥＤ１２の点滅状態に基づいて充電や録音等が確実に行われているか否かを容易に検知し得るようになされている。
【００２５】
さらに本体部２の下側面２Ｅには、マイクロホンジャック１３及びヘッドホンジャック１４が配設されており、かくしてマイクロホンジャック１３に図示しない外部のマイクロホンの出力プラグを挿入することによって、当該マイクロホンにより集音された外部音声を取り込んで録音でき、またヘッドホンジャック１４に図示しない外部のヘッドホンの入力プラグを挿入することによって、再生動作時に再生された録音音声を当該ヘッドホンにより聞くことができるようになされている。
【００２６】
これに対してＬＣＤカバー部４においては、図１及び図２のように閉じられた閉状態時において本体部２のＬＣＤ７の２／３程度を覆うようにその外形形状が選定されている。これによりこのカメラ付きＩＣレコーダ１においては、不使用時にはＬＣＤカバー部４を閉状態にすることでＬＣＤ７を当該ＬＣＤカバー部４によって保護することができる一方、使用の際には図３のようにこのＬＣＤカバー部４を上方向に引き出して開状態にすることで、ＬＣＤ７を露出させて当該ＬＣＤ７に表示されるメニュー画面等をユーザが目視できるようになされている。
【００２７】
またＬＣＤカバー部４の上部には、円柱形状のカメラカバー８が回転自在に配設されると共に、このカメラカバー８の所定位置には、上述のＣＣＤカメラ３がその光学軸を当該カメラカバー８の中心軸と垂直な方向に向けて取り付けられている。
【００２８】
この場合において、カメラカバー８は、図４（Ａ）のようにＣＣＤカメラ３がＬＣＤカバー部４内に隠れた回転位置（以下、この回転位置を原点位置と呼ぶ）から図４（Ｄ）のようにＣＣＤカメラ３の光学軸が本体部２の前面２Ｂの法線方向とほぼ一致する回転位置（以下、この回転位置を終点位置と呼ぶ）までの範囲内において矢印ａ方向又はこれと逆方向に回転させることができるようになされている。
【００２９】
これによりこのカメラ付きＩＣレコーダ１においては、図４（Ａ）のようにカメラカバー８を原点位置に位置させた閉状態にすることで不使用時のＣＣＤカメラ３を保護する一方、この状態からカメラカバー８を矢印ａ方向に回転させて、図４（Ｂ）のようにＣＣＤカメラ３が本体部２の背面２Ａ側に露出した開状態にすることによって、ＬＣＤ７に表示される動画像を目視しながら所望の画像を撮影でき、この状態からさらにカメラカバー８を終点位置にまで矢印ａ方向に回転させることによって、図４（Ｃ）のようにＬＣＤ７に表示される動画像を目視しながらユーザ自身の顔をも撮影することができるようになされている。
【００３０】
なおカメラカバー８にはマクロスイッチ６Ｉが配設されており、このマクロスイッチ６Ｉをオン設定することによって、ＣＣＤカメラ８を被写体に近づけた接写にも対応し得るマクロモードを設定し得るようになされている。この場合において、かかるマクロスイッチ６Ｉの配設位置は、ＣＣＤカメラ３と180〔°〕ずれた位置に選定されており、これによりＬＣＤに表示される動画像に基づきマクロモードの必要性を判断した上で、必要と判断したときにユーザがマクロスイッチ６Ｉを容易にオン設定することができるようになされている。
【００３１】
（２）カメラ付きＩＣレコーダ１の内部構成
ここで図５は、このカメラ付きＩＣレコーダ１の内部構成を示すものである。
【００３２】
このカメラ付きＩＣレコーダ１では、電源投入時、マイクロホン２０Ａ、２０Ｂが外部音声を集音し、得られた音声信号Ｓ１を増幅器２１を介してＡＤ(Analog Digital)／ＤＡ(Digital Analog)コンバータ２２に送出する。またＡＤ／ＤＡコンバータ２２は、マイクロホン２０Ａ、２０Ｂから与えられる音声信号Ｓ１を順次ディジタル変換処理し、得られた音声データＤ１をデータ処理及び制御部２３に順次送出する。
【００３３】
データ処理及び制御部２３は、このカメラ付きＩＣレコーダ１全体の制御を司るＣＰＵ(Central Processing Unit)２４、各種プログラムが格納されたＲＯＭ(Read Only Memory)２５、当該ＣＰＵ２４のワークメモリとしてのＲＡＭ(Random Access Memory)２６及び内蔵タイマ２７を含んでなるマイクロコンピュータ構成の制御部２８と、音声データＤ１及び後述する画像データＤ３に対するデータ圧縮伸張機能を有するＤＳＰ(Digital Signal Processor)２９とから構成される。
【００３４】
そしてデータ処理及び制御部２３の制御部２８には、操作部６を構成する上述の録音ボタン６Ａ、ライブビューボタン６Ｂ、カメラシャッタボタン６Ｃ、メニューボタン６Ｄ、ジョグレバー６Ｅ、停止ボタン６Ｆ、ボリュームスイッチ６Ｇ、ボイスアップスイッチ６Ｈ及びマクロスイッチ６Ｉのいずれかが操作されたときに、これに応じた操作入力信号Ｓ２が操作部６から与えられる。
【００３５】
また制御部２８には、ＬＣＤカバー部４内に設けられた対応するセンサ（図示せず）から、ＬＣＤカバー部４が閉状態（図１及び図２）及び開状態（図３）のいずれの状態にあるかを表すＬＣＤカバー状態信号Ｓ３と、カメラカバー８が閉状態（図４（Ａ））及び開状態（図４（Ｂ）及び４（Ｃ））のいずれの状態にあるかを表すカメラカバー状態信号Ｓ４とがそれぞれ与えられる。
【００３６】
かくして制御部２８のＣＰＵ２４は、操作入力信号Ｓ２に基づいてユーザ操作の操作内容を認識すると共に、ＬＣＤカバー状態信号Ｓ３及びカメラカバー状態信号Ｓ４に基づいて現在のＬＣＤカバー部４及びカメラカバー８の状態を検知し、これら認識及び検知結果とＲＯＭ２５に格納された各種制御プログラムとに基づいて対応する各種制御処理を実行する。
【００３７】
実際上、ＣＰＵ２４は、操作入力信号Ｓ２に基づき操作部６の録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の少なくともいずれか一方が閉状態にあることを検知したときには、これに応じて動作モードを録音モードに遷移してＤＳＰ２９を制御する。かくしてこのときＤＳＰ２９は、かかるＣＰＵ２４の制御のもとに、ＡＤ／ＤＡコンバータ２２から与えられる音声データＤ１に対してＬＰＥＣ（ソニー株式会社  登録商標）等の所定の音声圧縮方式に準拠した音声圧縮処理を施し、得られた圧縮音声データＤ２を順次フラッシュメモリ３０に格納する。
【００３８】
またＣＰＵ２４は、この後操作入力信号Ｓ２に基づき停止ボタン６Ｆが押圧操作されたことを認識すると、ＤＳＰ２９を制御することにより、ＡＤ／ＤＡコンバータ２２から与えられる音声データＤ１に対する音声圧縮処理を停止させる一方、そのときユーザにより選択されていたフォルダ（図７の「FOLDER1」〜「FOLDER3」）内に新たな用件フォルダ（図７の「03072400」〜「03072408」）を生成し、かかる圧縮音声データＤ２からなる音声ファイル（図７の「0372400.MSV」）をその用件フォルダに収納して、その用件フォルダの管理情報を後述の管理ファイル（図８の「MSGLIST.MSF」）に格納する。
【００３９】
またＣＰＵ２４は、ＬＣＤカバー状態信号Ｓ３及びカメラカバー状態信号Ｓ４に基づきＬＣＤカバー部４及びカメラカバー８の双方が開状態となったことを検知すると、動作モードをカメラモードに遷移させて、ＣＣＤカメラ３を制御することによりＣＣＤカメラ３を起動させる。この結果、そのときＣＣＤカメラ３により撮影されている光景についての画像信号Ｓ５が当該ＣＣＤカメラ３から順次出力され、これがデータ処理及び制御部２３に与えられる。
【００４０】
そしてＣＰＵ２４は、この状態において操作入力信号Ｓ２に基づきライブビューボタン６Ｂが押圧操作されたことを認識すると、これに応じてＤＳＰ２９を制御する。かくしてこのときＤＳＰ２９は、かかるＣＣＤカメラ３から与えられる画像信号Ｓ５を順次ディジタル変換し、得られた画像データＤ３をＬＣＤ７に送出する。この結果、この画像データＤ３に基づくそのときＣＣＤカメラ３により撮影されている光景の動画像がリアルタイムでＬＣＤ７に表示される。
【００４１】
さらにＣＰＵ２４は、この後この状態において操作入力信号Ｓ２に基づきカメラシャッタボタン６Ｃが押圧操作されたことを認識すると、これに応じてＤＳＰ２９を制御する。かくして、このときＤＳＰ２９は、画像データＤ３に基づき得られるそのカメラシャッタボタン６Ｃが押圧された瞬間の１フレーム分の静止画像の画像データＤ３を取り込み、この取り込んだ画像データＤ３に対して例えばＪＰＥＧ(Joint Photographic Experts Group)等の所定の画像圧縮方式に準拠した画像圧縮処理を施し、得られた圧縮画像データＤ４をフラッシュメモリ３０に格納する。
【００４２】
そしてＣＰＵ２４は、この後そのときユーザにより選択されていたフォルダ内に新たな用件フォルダを生成し、かかる圧縮画像データＤ４からなる画像ファイル（図７の「P0000000.JPG」〜「P0000003.JPG」）をその用件フォルダに収納して、その用件フォルダの管理情報を管理ファイルに格納する。
【００４３】
一方、ＣＰＵ２４は、操作入力信号Ｓ２に基づき録音ボタン６Ａが押圧操作されたことを認識すると、ＬＣＤカバー状態信号Ｓ３及びカメラカバー状態信号Ｓ４に基づきＬＣＤカバー部４及びカメラカバー８の状態を判断し、ＬＣＤカバー部４及びカメラカバー８の双方が開状態にあることを検知したときには、動作モードを録音録画モードに遷移させると共に、これに応じてＤＳＰ２９を制御する。
【００４４】
このときＤＳＰ２９は、上述した録音モード時と同様にＡＤ／ＤＡコンバータ２２から与えられる音声データＤ１に対して順次所定の音声圧縮処理を施し、得られた圧縮音声データＤ２をフラッシュメモリ３０に格納する。またこのときＤＳＰ２９は、上述したカメラモード時と同様に、ＣＣＤカメラ３から与えられる画像信号Ｓ５を順次ディジタル変換し、得られた画像データＤ３をＬＣＤ７に送出する。この結果ＬＣＤ７には、この画像データＤ３に基づくそのときＣＣＤカメラ３により撮影されている光景の動画像がリアルタイムで表示される。
【００４５】
さらにＣＰＵ２４は、この後この状態において操作入力信号Ｓ２に基づきカメラシャッタボタン６Ｃが押圧操作されたことを認識すると、これに応じてＤＳＰ２９を制御する。このときＤＳＰ２９は、カメラモード時と同様に、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。
【００４６】
またＤＳＰ２９は、この後かかる画像圧縮処理により得られた圧縮画像データＤ４を、そのカメラシャッタボタン６Ｃが押圧操作された瞬間を後に検索する際の目印となる画像（以下、これをブックマーク画像と呼ぶ）の圧縮画像データＤ４として、そのときフラッシュメモリ３０に順次格納している圧縮音声データＤ２の対応する位置と関連付けてフラッシュメモリ３０に格納する。
【００４７】
そしてＣＰＵ２４は、この後操作入力信号Ｓ２に基づき停止ボタン６Ｆが押圧操作されたことを認識すると、そのときユーザにより選択されていたフォルダ内に新たな用件フォルダを生成し、かかる圧縮音声データＤ２からなる音声ファイルと、当該音声ファイルと関連付けられた上述の各圧縮画像データＤ４でなる各画像ファイルとをその用件フォルダに収納して、その用件フォルダの管理情報を管理ファイルに格納する。
【００４８】
このようにしてこのカメラ付きＩＣレコーダ１においては、音声及び静止画像をそれぞれ独立して記録できるだけでなく、静止画像を録音中の音声と関連付けてブックマーク画像として記録することもできるようになされている。
【００４９】
そしてこのカメラ付きＩＣレコーダ１では、このように音声と関連付けて記録されたブックマーク画像に基づいて、所望する用件フォルダや用件フォルダ内の所望の音声位置を検索できる。
【００５０】
実際上、ＣＰＵ２４は、ジョグレバー６Ｅが押圧操作されて、所望するフォルダ内の所望する用件フォルダを選択するための選択画面（以下、これを用件フォルダ選択画面と呼ぶ）又はその用件フォルダ内の所望するブックマーク画像を選択するための選択画面（以下、これをブックマーク画像選択画面と呼ぶ）の表示命令が入力されたことを操作入力信号Ｓ２に基づき認識すると、対応する画像データＤ３をＲＯＭ２５から読み出してＬＣＤ７に送出することにより、図６に示すような用件フォルダ選択画面３３や、当該用件フォルダ選択画面３３と同様構成のブックマーク画像選択画面３４（図６）をＬＣＤ７に表示させる。
【００５１】
この場合においてＣＰＵ２４は、用件フォルダ選択画面３３をＬＣＤ７に表示させるに際しては、そのフォルダ内の用件フォルダ毎に、それぞれその用件フォルダについて予め設定された代表的なブックマーク画像（以下、これを代表画像と呼ぶ）の画像ファイル（圧縮画像データＤ４）をフラッシュメモリ３０から読み出し、これをＤＳＰ２９に復号化処理させて、得られた画像データＤ３に基づき所定サイズのサムネイル画像Ｐ１〜Ｐ６を作成する。
【００５２】
そしてＣＰＵ２４は、この図６に示すように、かくして得られた用件フォルダ毎のサムネイル画像Ｐ１〜Ｐ６を用件フォルダ選択画面３３内に一覧表示させる。なお、このとき音声のみの静止画像を含まない用件フォルダについては、サムネイル画像に代えて所定のアイコンが表示される。
【００５３】
またＣＰＵ２４は、その後ジョグレバー６Ｅが操作されて、用件フォルダ選択画面３３内の１つのサムネイル画像Ｐ１〜Ｐ６が選択されると、上述した管理ファイルに基づいて、対応する用件フォルダ内の音声ファイル（圧縮音声データＤ２）をフラッシュメモリ３０から読み出し、これをＤＳＰ２９に復号化処理させる。
【００５４】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、このときこの音声信号Ｓ６に基づく音声がスピーカ３２から出力される。
【００５５】
これと同様に、ＣＰＵ２４は、ブックマーク画像選択画面３４（図６）をＬＣＤ７に表示させる際には、かかる管理ファイルに基づいて、対応する用件フォルダ内の各ブックマーク画像の画像ファイル（圧縮像データＤ４）をフラッシュメモリ３０から読み出し、これらをＤＳＰ２９に復号化処理させて、得られた各画像データＤ３に基づき所定サイズのサムネイル画像Ｐ１〜Ｐ６をそれぞれ作成する。そしてＣＰＵ２４は、このようにして得られたブックマーク画像毎のサムネイル画像Ｐ１〜Ｐ６を、ブックマーク画像選択画面３４内に一覧表示させる。
【００５６】
またＣＰＵ２４は、その後ジョグレバー６Ｅが操作されて、ブックマーク画像選択画面３４内の１つのサムネイル画像Ｐ１〜Ｐ６が選択されると、フラッシュメモリ３０から対応する音声ファイルにおけるそのサムネイル画像Ｐ１〜Ｐ６の元のブックマーク画像と対応付けられた音声部分以降の圧縮音声データＤ２を読み出し、これをＤＳＰ２９に復号化処理させる。
【００５７】
この結果、かかる復号化処理により得られた音声データＤ１がＤＳＰ２９から出力され、これがＡＤ／ＤＡコンバータ２２においてアナログ変換されて、得られた音声信号Ｓ６が増幅器３１を介してスピーカ３２に与えられる。これにより、この音声信号Ｓ６に基づいて、選択された用件フォルダにおけるユーザにより選択されたブックマーク画像と対応付けられた音声位置以降の音声がスピーカ３２から出力される。
【００５８】
このようにしてこのカメラ付きＩＣレコーダ１においては、用件フォルダの代表画像や用件フォルダ内の各ブックマーク画像に基づいて、所望する用件フォルダや、用件フォルダ内の所望する音声位置に迅速かつ容易にアクセスし得るようになされている。
【００５９】
かかる構成に加えてこのカメラ付きＩＣレコーダ１の場合、音声ファイルを含む用件フォルダについては、当該音声ファイルの再生時に新たなブックマーク画像を記録することができ、また画像ファイルのみを含む用件フォルダについては、後から音声を関連付けて記録することもできるようになされている。
【００６０】
実際上、ＣＰＵ２４は、ＬＣＤカバー状態信号Ｓ３及びカメラカバー状態信号Ｓ４に基づきＬＣＤカバー部４及びカメラカバー８の双方が開状態にあることを検知しており、ユーザにより選択された用件フォルダの音声ファイルを上述のように再生している状態において、操作入力信号Ｓ２に基づきカメラシャッタボタン６Ｃが押圧操作されたことを認識すると、これに応じてＤＳＰ２９を制御する。
【００６１】
このときＤＳＰ２９は、かかるＣＰＵ２４の制御のもとに、ＣＣＤカメラ３から与えられる画像信号Ｓ５に基づき得られるそのカメラシャッタボタン６Ｃが押圧された瞬間の１フレーム分の静止画像の画像データＤ３を取り込み、この取り込んだ画像データＤ３に対して画像圧縮処理を施す。そしてＤＳＰ２９は、この後かかる画像圧縮処理により得られた圧縮画像データＤ４を、そのカメラシャッタボタン６Ｃが押圧操作された瞬間のブックマーク画像の画像ファイルとして、そのとき再生している音声ファイルと関連付けてフラッシュメモリ３０に格納する。
【００６２】
一方、ＣＰＵ２４は、ＬＣＤ７に表示された用件フォルダ選択画面３３（図６）において、画像ファイルのみからなる用件フォルダが選択され、ジョグレバー６Ｅを用いた所定操作により当該用件フォルダについて追加録音する旨の命令が入力された後に、録音ボタン６Ａが押圧操作されたことを操作入力信号Ｓ２に基づき認識すると、これに応じてＤＳＰ２９を制御する。
【００６３】
かくしてこのときＤＳＰ２９は、かかるＣＰＵ２４の制御のもとに、ＡＤ／ＤＡコンバータ２２から与えられる音声データＤ１に対して音声圧縮処理を施し、得られた圧縮音声データＤ２を音声ファイルとしてその画像ファイルと関連付けてフラッシュメモリ３０に格納する。因みにこの場合、元の画像ファイルに基づく静止画像は、追加記録された音声の先頭位置のブックマーク画像に自動設定される。
【００６４】
このようにしてこのカメラ付きＩＣレコーダにおいては、記録音声の所望位置に後から自由にブックマーク画像を追加記録したり、記録された静止画像に後から音声を関連付けて追加記録できるようにすることで、記録音声の所望部分の検索性を向上させたり、ＩＣレコーダとしての機能性を向上させ得るようになされている。
【００６５】
（３）カメラ付きＩＣレコーダにおけるデータ管理フォーマットのディレクトリ構造
次に、このカメラ付きＩＣレコーダ１に採用されている、圧縮音声データＤ２や圧縮映像データＤ４のデータ管理フォーマットであるボイスケープフォーマット（Voiscape Format）のディレクトリ構造について説明する。
【００６６】
図７は、かかるボイスケープフォーマットのディレクトリ構造を示すものである。この図７に示すように、録音音声の音声ファイル（「03072400.MSV」）やこれに関連づけて記録されたブックマーク画像の画像ファイル（「P0000000.JPG」〜「P0000003.JPG」）は、「MSSONY」というフォルダ内に作成された「VOISCAPE」というフォルダに格納される。
【００６７】
用件フォルダを収納するフォルダ（「FOLDER1」〜「FOLDER3」）は、この「VOISCAPE」内に存在し、ユーザはこれらフォルダの中から録音音声の音声ファイル等の格納場所として所望のフォルダを選択したり、新たにフォルダを作成することができる。
【００６８】
また「VOISCAPE」には、作成された用件フォルダを管理するための上述の管理ファイル（「MSGLIST.MSF」）も収納される。この管理ファイルは、図８に示すように、当該管理ファイルを最後に編集した年月日、時分秒及び曜日等が記述された32〔Byte〕のヘッダ（「Header」）の後に、各フォルダ（「FOLDER1」〜「FOLDER3」）のフォルダ名等が記述されたフォルダエントリ（「Folder Entry」）と、そのフォルダ内に作成された各用件フォルダのフォルダ名及びその用件フォルダの作成日時等が記述されたメッセージエントリ（「Message Entry」）とがフォルダごとに順次記述されたデータ構造を有する。
【００６９】
そしてこのボイスケープフォーマットでは、新たなフォルダや新たな用件フォルダが作成されたときには、上述のような各種管理情報が記述されたフォルダエントリやメッセージエントリが管理ファイルに必ず登録される。これによりこのボイスケープフォーマットでは、この管理ファイルに基づいて、所望の用件フォルダがどのフォルダ内にあるかを確実かつ迅速に検索することができるようになされている。
【００７０】
さらに各フォルダ（「FOLDER1」〜「FOLDER3」）内には、それぞれユーザの使用状況に応じて１又は複数の用件フォルダ（「03072400」〜「03072408」）が作成され、これら各用件フォルダ内に、録音により得られた圧縮音声データＤ２の音声ファイル（「03072400.MSV」）と、かかる録音中に撮影された各ブックマーク画像の圧縮画像データＤ４の画像ファイル（「P0000000.JPG」〜「P0000003.JPG」）と、各画像ファイルを管理するための画像管理ファイル（「03072400.PIN」）とが収納される。
【００７１】
画像管理ファイル（「03072400.PIN」）は、図９に示すように、この画像管理ファイルを最後に編集した年月日、時分秒及び曜日等が記述されたヘッダ（「Header」）の後に、複数のピクチャエントリ（「Picture Entry」）が配置されたデータ構造を有する。
【００７２】
この場合、１番目のピクチャエントリには、代表画像が設定されている場合のそのブックマーク画像の画像ファイルのファイル名及び当該ブックマーク画像の音声ファイル（音声データＤ１）に対する対応位置（時・分・秒）等が記述される。なお、代表画像が設定されていない場合には、各ピクチャエントリの先頭に記述される当該領域がピクチャエントリであることを示すピクチャＩＤ以外の当該１番目のピクチャエントリのすべての部分にゼロデータが格納される。
【００７３】
また２番目以降のピクチャエントリには、対応する音声の録音中に撮影された各ブックマーク画像の画像ファイルのファイル名及びそのブックマーク画像の当該音声に対する対応位置（時、分及び秒）等が記述される。この場合、２番目以降のピクチャエントリは、新たなブックマーク画像の画像ファイルが記録されるごとに順次後ろに付加されるものであるため、画像管理ファイルにおける２番目以降のピクチャエントリの並び順が、そのまま対応する音声の先頭からのその画像ファイルが対応付けられた位置の順番を表すこととなる。
【００７４】
このようにしてこのボイスケープフォーマットでは、この画像管理ファイルに基づいて、その用件フォルダの代表画像や各ブックマーク画像の音声に対する対応位置を検索することができる。またこのように音声ファイルとこれに関連付けられた各ブックマーク画像の画像ファイルとを同一のフォルダ（用件フォルダ）内に収納することによって、これらデータを外部のパーソナルコンピュータに取り込んでエクスプローラで見たときに、音声ファイルと画像ファイルとの関連を認識し易く、この結果ユーザが誤って音声ファイルや画像ファイルを削除するのを抑止し得るようになされている。
【００７５】
なお、画像管理ファイルにおけるヘッダ及びピクチャエントリの具体的なデータ構成を図及び図にそれぞれ示す。
【００７６】
この図からも明らかなように、画像管理ファイルのヘッダ（「HEADER」）は、ピクチャインデックスＩＤ情報（「PIND-ID」）、バージョン情報（「FMT-VER」）、メーカコード情報（「MCode」）、最終編集日時情報（「YMDHMSW」）、エントリ総数情報（「ENTRY-NUM」）、ピクチャエントリサイズ情報（「PSIZE」）、オフセット情報（「OFFSET」）及び文字コード情報（「CCODE」）から構成される。
【００７７】
この場合、ピクチャインデックスＩＤ情報（「PIND-ID」）は、このファイルが画像管理ファイルであることを示すＩＤを表しており、所定の固定値が使用される。またバージョン情報（「FMT-VER」）は、このボイススケープフォーマットのバージョン番号を示す情報であり、対応するコードが記述される。
【００７８】
さらにメーカコード情報（「MCode」）は、この画像管理ファイルを最後に編集した機器のメーカやモデルを示す情報であり、対応するコードが記述され、最終編集日時情報（「YMDHMSW」）は、この画像管理ファイルを最後に編集した年月日、時分秒及び曜日を示す情報であり、新たなブックマーク画像が記録されてそのピクチャエントリが付加されるなどするごとに更新される。
【００７９】
さらにエントリ総数情報（「ENTRY-NUM」）は、この画像ファイルに登録されているピクチャエントリの総数（対応する用件フォルダに収納されているブックマーク画像の総数に相当）を示すものであり、新たなピクチャエントリが登録されるごとに更新され、ピクチャエントリサイズ情報（「PSIZE」）は、この画像管理ファイルにおけるピクチャエントリの１つ当たりのデータサイズを示すものであり、バイト（Byte）単位で記述される。
【００８０】
さらにオフセット情報（「OFFSET」）は、１番目のピクチャエントリの開始位置を、当該画像管理ファイルの先頭からのオフセットで表したものであり、バイト（Byte）単位で記述され、文字コード情報（「CCODE」）は、この画像管理ファイルで使用している文字コード及び言語を示すものである。
【００８１】
一方、図からも明らかなように、画像管理ファイルにおけるピクチャエントリ（「Picture Entry」）は、ピクチャエントリＩＤ情報（「PID」）、画像属性情報（「PIA」）、対応位置情報（「POSITION」）、ファイル名情報（「FILE-NAME」）及びリザーブ（「R」）から構成される。
【００８２】
この場合、ピクチャエントリＩＤ情報（「PID」）は、ピクチャエントリの先頭を示すＩＤを表すものであり、所定の固定値が記述される。また画像属性情報（「PIA」）は、対応するブックマーク画像が撮像により得られた静止画像であるのか、又は予め用意されたアイコンであるのかを表す情報であり、撮像により得られた静止画像である場合にはその画像ファイルのファイル名が記述され、予め用意されたアイコンである場合には、そのアイコンに対して予め付与されているアイコン番号が記述される。
【００８３】
さらに対応位置情報（「POSITION」）は、同一用件フォルダ内の音声ファイルにおける対応するブックマーク画像の対応位置を表すものであり、当該音声ファイルに基づく音声の先頭からのオフセット量がミリ秒単位で記述される。なお、１番目のピクチャエントリにおける対応位置情報は、「０」に固定となる。さらにファイル名情報（「FILE-NAME」）は、対応するブックマーク画像の画像ファイルのファイル名を表すものである。
【００８４】
（４）用件フォルダ選択画面等における操作方法
次に、図６について上述した用件フォルダ選択画面３３及びブックマーク画像選択画面３４における操作方法について説明する。ただし、用件フォルダ選択画面３３及びブックマーク画像選択画面３４における操作方法は全く同じであるので、以下においては、用件フォルダ選択画面３４を例に説明する。
【００８５】
このカメラ付きＩＣレコーダ１では、上述のように所定操作により、図６に示す用件フォルダ選択画面３３をＬＣＤ７に表示させることができる。
【００８６】
この場合、この用件フォルダ選択画面３３には、親階層のフォルダのフォルダ名を表示するための親階層情報表示部４０と、例えばスクロールバーでなるページ情報表示部４１と、それぞれフラッシュ３０のメモリ残量又は電源のエネルギー残量を表示するためのメモリ残量表示部４２及び電源残量表示部４３と、それぞれアラームマーク又はリピートモードが設定されているときのリピートマークを表示するためのアラームマーク表示部４４及びリピートマーク表示部４５と、後述するカーソル３５がそのフォルダに含まれる用件フォルダの総数のうちの何番目の用件フォルダを指しているかを表示するための位置表示部４７と、音声フォルダが再生されているときの再生開始から現在までの経過時間を表示するためのカウンタ表示部４８と、ＬＣＤ７（図５）に表示させる選択画面の階層を表示するための階層表示部４９とが設けられている。
【００８７】
なおこのカメラ付きＩＣレコーダ１の場合、階層としては、上位階層から順に「フォルダ階層」、「用件階層」及び「ブックマーク階層」の３種類がある。従って、用件フォルダ選択画面３３の場合には、そのとき選択されているフォルダのフォルダ名が親階層情報表示部４０に表示され、階層切替えのためにジョグレバー６Ｅを操作したときには、表示画面がそのときカーソル３５が指していた用件フォルダについてのブックマーク選択画面３４に切り替わる。因みに、ブックマーク画像選択画面３４の場合には、そのとき選択されている用件フォルダのフォルダ名が親階層情報表示部４０に表示され、階層切替えのためにジョグレバー６Ｅを操作したときには、表示画面が所望のフォルダを選択するための図示しない所定のフォルダ選択画面に切り替わる。
【００８８】
そして用件フォルダ選択画面３３においては、初期時、選択されたフォルダに収納された各用件フォルダのうちの作成日時の早い上位６つの用件フォルダについて、その用件フォルダの代表画像として予め設定されたブックマーク画像のサムネイル画像Ｐ１〜Ｐ６が一覧表示される。このときその用件フォルダが画像ファイルを含まない音声ファイルのみのものであるときや、代表画像が設定されていないときなどには、上述のように予め定められたアイコンが表示される。
【００８９】
またこの用件フォルダ選択画面３３では、１つのサムネイル画像Ｐ１〜Ｐ６を取り囲む（以下、この状態をその「サムネイル画像Ｐ１〜Ｐ６を指す」と呼ぶ）ようにカーソル３５が表示される。そしてユーザは、音声ファイルの再生中又は再生停止中にジョグレバー６Ｅ（図１〜図３）を送り（「FF」）側に長押しすることによって、このカーソル３５を次の用件フォルダのサムネイル画像Ｐ１〜Ｐ６を指すように順次移動させることができ、これに対して音声ファイルの再生中又は再生停止中にジョグレバー６Ｅを戻り（「FR」）側に長押しすることによって、カーソル３５を前の用件フォルダのサムネイル画像Ｐ１〜Ｐ６を指すように順次移動させることができる。
【００９０】
さらに用件フォルダ選択画面３３では、カーソル３５がそのとき表示されている６つのサムネイル画像Ｐ１〜Ｐ６のうちの最後の用件フォルダのサムネイル画像Ｐ１〜Ｐ６を指している状態において、さらにジョグレバー６Ｅを送り（「FF」）側に長押しすることによって、図１０に示すように、そのフォルダに収納された次の６つの用件フォルダについて、その用件フォルダの代表画像として予め設定されたブックマーク画像のサムネイル画像Ｐ１〜Ｐ６を順次表示させることができる。
【００９１】
同様に、用件フォルダ選択画面３３では、カーソル３５がそのとき表示されている６つのサムネイル画像Ｐ１〜Ｐ６のうちの最初の用件フォルダのサムネイル画像Ｐ１〜Ｐ６を指している状態において、さらにジョグレバーを戻り（「FR」）側に長押しすることによって、図１０に示すように、そのフォルダに収納された前の６つの用件フォルダについて、その用件フォルダの代表画像として予め設定されたブックマーク画像のサムネイル画像Ｐ１〜Ｐ６を順次表示させることができる。
【００９２】
かくしてユーザは、このようなジョグレバー６Ｅの操作によって、用件フォルダ選択画面３３に表示されたサムネイル画像Ｐ１〜Ｐ６に基づいて所望する用件フォルダを探すことができ、当該用件フォルダを検出したときには、その用件フォルダの代表画像のサムネイル画像Ｐ１〜Ｐ６を指すようにカーソル３５を移動させ、その後ジョグレバー６Ｅを押圧操作することで、その用件フォルダを選択対象として決定することができる。この結果、かかる決定された用件フォルダ内の音声ファイルが再生されて、その再生音声がスピーカ２７（図５）から出力される。
【００９３】
このようにしてこのカメラ付きＩＣレコーダ１においては、所望する用件フォルダを各用件フォルダについて設定された代表画像に基づいて検索することができるようになされている。
【００９４】
なお用件フォルダ選択画面３３においては、音声ファイルの再生停止中にジョグレバー６Ｅを送り（「FF」）側又は戻り（「FR」）側に長押しし続けた場合、図１１に示すように、当初３秒間は低速（例えば0.4〔秒／件〕）、その後の３秒間は中速（例えば0.2〔秒／件〕）、さらにその後は高速（例えば0.2〔秒／ページ（６件）〕）でカーソル３５が移動するようになされている。ただし、そのフォルダ内の最後の用件フォルダ（最後に作成された用件フォルダ）から当該フォルダ内の先頭の用件フォルダ（最初に作成された用件フォルダ）に移るときやその逆のときには、上述のような連続送り又は戻しが一旦停止されて、当該連続送り又は戻しが最初から（カーソル移動が低速から）開始される。
【００９５】
このようにこのカメラ付きＩＣレコーダ１においては、ジョグレバー６Ｅの操作状態に応じてカーソル３５の移動速度を変化させることで、ユーザが所望する用件フォルダにより迅速にアクセスし得るようになされている。
【００９６】
（５）削除モード機能
ここで本実施の形態によるカメラ付きＩＣレコーダ１では、削除モードとして、用件フォルダ単位で削除するための「１用件削除」と、フォルダ内の全ての用件フォルダを削除するための「フォルダ内全用件削除」と、各用件フォルダ内の指定されたブックマークを削除するための「ブックマーク削除」と、各用件フォルダ内のブックマーク間の画像及び音声を削除するための「区間削除」との４通りの削除モードがある。
【００９７】
実際にＬＣＤ７（図５）にブックマーク画像選択画面３４が表示された状態において、ユーザによりメニューボタン６Ｄが押圧操作されると、制御部２３のＣＰＵ２４（図５）は、図１０に示す削除モード処理手順ＲＴ１に従って、上述の削除モードに応じた削除処理を実行させる。
【００９８】
すなわちＣＰＵ２４は、ユーザによりメニューボタン６Ｄが押圧操作されるとこの削除モード処理手順ＲＴ１をステップＳＰ０において開始し、続くステップＳＰ１において、ＬＣＤ７に表示されているブックマーク画像選択画面３４に図１１（Ａ）に示すメニュー画面５０を重畳表示させる。
【００９９】
そしてステップＳＰ２に進んで、このメニュー画面５０の各種項目のうち「削除」が選択されると、ＣＰＵ２４は、ステップＳＰ３に進んで、当該「削除」を表す削除画面５１（図１１（Ｂ））に遷移した後、当該削除画面５１の各種項目のうち「１用件削除」、「フォルダ内全用件削除」、「ブックマーク削除」及び「区間削除」のいずれが選択されたか否かを判断する。
【０１００】
このうちユーザにより「１用件削除」が選択されると、ＣＰＵ２４は、ステップＳＰ４に進んで、当該１用件削除処理を実行した後、ステップＳＰ８に進む。またユーザにより「フォルダ内全用件削除」が選択されると、ＣＰＵ２４は、ステップＳＰ５に進んで、当該フォルダ内全用件削除処理を実行した後、ステップＳＰ８に進む。またユーザにより「ブックマーク削除」が選択されると、ＣＰＵ２４は、ステップＳＰ６に進んで、当該ブックマーク削除処理を実行した後、ステップＳＰ８に進む。またユーザにより「区間削除」が選択されると、ＣＰＵ２４は、ステップＳＰ７に進んで、当該区間削除処理を実行した後、ステップＳＰ８に進む。
【０１０１】
このステップＳＰ８において、ＣＰＵ２４は、「１用件削除」、「フォルダ内全用件削除」、「ブックマーク削除」又は「区間削除」の各種処理に応じた表示内容から元のメニュー画面５０に戻って遷移させた後、ステップＳＰ９に進んで、メニュー画面から抜け、そのままステップＳＰ１０に進んで、当該削除モード処理手順ＲＴ１を終了する。
【０１０２】
（５−１）１用件削除処理
上述の図１０に示す削除モード処理手順ＲＴ１のステップＳＰ３において、削除画面５１（図１１（Ｂ））の各種項目のうち「１用件削除」が選択されたとき、ＣＰＵ２４は、ステップＳＰ４に進んで、１用件削除処理を実行する。以下、この１用件削除処理について説明する。
【０１０３】
図１２（Ａ）のように、指定されたフォルダ内に「用件１」、「用件２」及び「用件３」で表される３つの用件フォルダ（以下、これを第１〜第３の用件フォルダと呼ぶ）ＦＤ１〜ＦＤ３が収納されている場合において、第２の用件フォルダＦＤ２が削除対象とされたとき、削除実行までに所定時間（例えば前後５秒間）リピート再生するようにしてユーザに確認を促すようになされている。
【０１０４】
そして第２の用件フォルダＦＤ２を削除すると、当該第２の用件フォルダＦＤ２に対応する音声ファイル及びこれに付加された全てのブックマーク画像（「BM2-1」、「BM2-2」、「BM2-3」、「BM2-4」）の画像ファイルが削除される。この結果、図１２（Ｂ）に示すように、第２の用件フォルダＦＤ２に代えて、第３の用件フォルダＦＤ３に再生位置が移動する。
【０１０５】
具体的には図１３（Ａ）に示す１用件削除画面６０が、上述の削除画面５１（図１１（Ｂ））から遷移してＬＣＤ７に表示される。この場合、この１用件削除画面には、「１用件削除」と表示された親階層情報表示部４０と、例えばスクロールバーでなるページ情報表示部４１と、それぞれフラッシュ３０のメモリ残量又は電源のエネルギー残量を表示するためのメモリ残量表示部４２及び電源残量表示部４３と、操作内容を表示するための操作ガイド表示部５５とが設けられている。
【０１０６】
そして１用件削除画面６０においても、初期時、選択されたフォルダに収納された各用件フォルダのうちの作成日時の早い上位６つの用件フォルダについて、その用件フォルダの代表画像として予め設定されたブックマーク画像のサムネイル画像Ｐ１〜Ｐ６が一覧表示される。
【０１０７】
かかる１用件削除画面６０において、先頭のサムネイル画像Ｐ１にカーソル３５が合わせられた状態で、ユーザがジョグレバー６Ｅを所定方向（「VIEW」）側に倒すように操作すると、そのサムネイル画像が図１３（Ｂ）に示すように全画面表示される。
【０１０８】
これらサムネイル表示（図１３（Ａ））又は全画面表示（図１３（Ｂ））された１用件削除画面６０において、ユーザがジョグレバー６Ｅを送り（「FF」）側又は戻り（「FR」）側に倒すように操作すると、サムネイル表示の場合にはカーソル３５が次ぎ又は前のサムネイル画像Ｐ１〜Ｐ６を指すように順次移動する一方（図１３（Ｃ））、全画面表示の場合には次ぎ又は前のサムネイル画像Ｐ１〜Ｐ６が順次全画面表示される（図１３（Ｄ））。
【０１０９】
そしてユーザが所望の用件フォルダ内のサムネイル画像Ｐ１〜Ｐ６について、カーソル３５を合わせた状態又は全画面表示させた状態で、ジョグレバー６Ｅを押圧操作すると、削除を実行するか否かを問うための実行確認画面６１が重畳表示される（図１３（Ｅ）又は（Ｆ））。
【０１１０】
この１用件削除画面６０に重畳表示された実行確認画面６１において、「ＹＥＳ」が選択された状態でユーザがジョグレバー６Ｅを押圧操作すると、用件フォルダの削除中である旨を表す削除実行画面６２に切り替わる（図１３（Ｇ）又は（Ｈ））。この削除実行画面６２には、「削除中」の文字が大きく表示されると共に、上側左端の「ｉ」マーク６２Ａが点滅するようになされている。
【０１１１】
かかる削除実行画面６２は、削除対象として決定された用件フォルダ内の音声ファイル（圧縮音声データＤ２）及び全てのブックマーク画像の画像ファイル（圧縮画像データＤ４）が削除されるまでの間（但し、最低１秒間以上）表示される。この結果、ユーザは削除中であることを視覚的に認識することができる。
【０１１２】
なおＣＰＵ２４による信号処理的には、上述の図１０に示す削除モード処理手順ＲＴ１のステップＳＰ４に入ると、当該ステップＳＰ４をサブルーチンとする図１４に示す１用件削除処理手順ＲＴ２に移行する。この１用件削除処理手順ＲＴ２のステップＳＰ２０において、ＣＰＵ２４は、削除対象となる用件フォルダ内の音声ファイル及び全てのブックマーク画像の画像ファイルを削除した後、ステップＳＰ２１に進んで、当該用件フォルダを削除する。
【０１１３】
そしてＣＰＵ２４は、ステップＳＰ２２において、管理ファイル（図８の「MSGLIST.MSF」）からフォルダ内で削除対象となる用件フォルダについてのメッセージエントリ（「Message Entry」）を削除した後、図１０に示す削除モード処理手順ＲＴ１のステップＳＰ８に進むと同時に１用件削除処理手順ＲＴ２を終了する。
【０１１４】
（５−２）フォルダ内全用件削除処理
上述の図１０に示す削除モード処理手順ＲＴ１のステップＳＰ３において、削除画面５１（図１１（Ｂ））の各種項目のうち「フォルダ内全用件削除」が選択されたとき、ＣＰＵ２４は、ステップＳＰ４に進んで、フォルダ内全用件削除処理を実行する。以下、このフォルダ内全用件削除処理について説明する。
【０１１５】
図１５（Ａ）のように、「VOISCAPE」内に存在する全てのフォルダ（「FOLDER1」〜「FOLDER3」）のうち指定されたフォルダ（「002」）内の全ての用件フォルダ（「001」〜「003」）を削除する。このときフォルダ（「002」）内の全ての用件フォルダに対応する音声ファイル及びこれに付加された全てのブックマーク画像（「BM001」、「BM002」）の画像ファイルが削除される（図の破線範囲）。
【０１１６】
この結果、図１５（Ｂ）に示すように、削除後のフォルダ（「002」）の位置は変化せず、この点で上述の１用件削除処理の場合と異なる。また確認再生を行わない点でも上述の１用件削除処理の場合とことなる。
【０１１７】
具体的には上述の削除画面５１（図１１（Ｂ））に、図１６（Ａ）に示す実行確認画面６５が重畳表示される。この場合、この実行確認画面６５には、再生位置のフォルダのアイコン６５Ａ及び名称６５Ｂが表示されると共に、当該フォルダを空にするか否かを表す旨とその「ＹＥＳ」又は「ＮＯ」ボタンとが表示される。
【０１１８】
この実行確認画面６５において、「ＹＥＳ」ボタンが選択された状態でユーザがジョグレバー６Ｅを押圧操作すると、指定されたフォルダ内の全ての用件フォルダの削除中である旨を表す削除実行画面６６に切り替わる（図１６（Ｂ））。この削除実行画面６６には、「削除中」の文字が大きく表示されると共に、上側左端の「ｉ」マーク６６Ａが点滅するようになされている。
【０１１９】
かかる削除実行画面６６は、削除対象として決定されたフォルダ内の全ての用件フォルダにおける音声ファイル（圧縮音声データＤ２）及び全てのブックマーク画像の画像ファイル（圧縮画像データＤ４）が削除されるまでの間（但し、最低１秒間以上）表示される。この結果、ユーザは削除中であることを視覚的に認識することができる。
【０１２０】
なおＣＰＵ２４による信号処理的には、上述の図１０に示す削除モード処理手順ＲＴ１のステップＳＰ５に入ると、当該ステップＳＰ５をサブルーチンとする図１７に示すフォルダ内全用件削除処理手順ＲＴ３に移行する。
【０１２１】
このフォルダ内全用件削除処理手順ＲＴ３のステップＳＰ３０において、ＣＰＵ２４は、削除対象となるフォルダ内に用件フォルダが存在するか否かを判断し、肯定結果が得られた場合には、ステップＳＰ３１に進んで、当該削除対象となる全ての用件フォルダ内の音声ファイル及び全てのブックマーク画像の画像ファイルを削除する。
【０１２２】
続いてＣＰＵ２４は、ステップＳＰ３２に進んで、全ての用件フォルダを削除した後、ステップＳＰ３３において、管理ファイル（図８の「MSGLIST.MSF」）から削除対象となるフォルダ内の全ての用件フォルダについてのメッセージエントリ（「Message Entry」）を削除した後、再度ステップＳＰ３０に戻って上述と同様の処理を繰り返す。
【０１２３】
これに対してステップＳＰ３０において否定結果が得られると、このことは削除対象となるフォルダ内に用件フォルダが存在しないことを意味し、このときＣＰＵ２４は、ステップＳＰ３４に進んで、削除対象となるフォルダ内に何らかのフォルダが存在するか否かを判断する。
【０１２４】
このステップＳＰ３４において肯定結果が得られた場合には、ＣＰＵ２４は、ステップＳＰ３５に進んで、その存在するフォルダを削除した後、続くステップＳＰ３６において、管理ファイル（図８の「MSGLIST.MSF」）から削除対象となるフォルダ内のそのフォルダについてのメッセージエントリ（「Message Entry」）を削除した後、図１０に示す削除モード処理手順ＲＴ１のステップＳＰ８に進むと同時にフォルダ内全用件削除処理手順ＲＴ３を終了する。
【０１２５】
一方、このステップＳＰ３４において否定結果が得られた場合には、ＣＰＵ２４は、何も処理を施すことなく、図１０に示す削除モード処理手順ＲＴ１のステップＳＰ８に進むと同時にフォルダ内全用件削除処理手順ＲＴ３を終了する。
【０１２６】
（５−３）ブックマーク削除処理
上述の図１０に示す削除モード処理手順ＲＴ１のステップＳＰ３において、削除画面５１（図１１（Ｂ））の各種項目のうち「ブックマーク削除」が選択されたとき、ＣＰＵ２４は、ステップＳＰ６に進んで、ブックマーク削除処理を実行する。以下、このブックマーク削除処理について説明する。
【０１２７】
その前提として、カメラ付きＩＣレコーダ１には、録音時にユーザが所望のタイミングで撮影した各静止画像をそれぞれブックマーク（しおり）として、その録音した音声の音声ファイルと関連づけて登録しておき、再生時に指定した用件フォルダ内のブックマークが存在する時点を再生位置として再生し得るブックマーク登録機能が搭載されている。
【０１２８】
かかるブックマークは、録音時のみならず再生時においても登録し得るようになされており、フラッシュメモリ３０（図５）に記録保存されている各フォルダ内の用件フォルダごとに、それぞれの用件フォルダについて、ユーザが所望するタイミングでブックマークを付加し又は撮影動作を行い、当該ブックマーク又は撮影された静止画像（すなわちブックマーク画像）を対応する音声の音声ファイルと関連づけてフラッシュメモリ３０に登録し得るようになされている。
【０１２９】
図１８（Ａ）のように、指定されたフォルダ内に「用件１」、「用件２」及び「用件３」で表される第１〜第３の用件フォルダＦＤ１〜ＦＤ３が収納されている場合において、第２の用件フォルダＦＤ２内における２番目のブックマーク（「BM2-2」）が削除対象とされたとき、当該ブックマーク（「BM2-2」）から次のブックマーク（「BM2-3」）までの区間を所定時間（例えば前後５秒間）リピート再生するようにしてユーザに確認を促すようになされている。
【０１３０】
この結果、図１８（Ｂ）に示すように、ユーザによって指定された第２の用件フォルダＦＤ２内の２番目のブックマーク画像のみが削除される。
【０１３１】
具体的には図１９（Ａ）に示すブックマーク削除画面７０が、上述の削除画面５１（図１１（Ｂ））から遷移してＬＣＤ７に表示される。この場合、このブックマーク削除画面７０には、「ブックマーク削除」と表示された親階層情報表示部４０、ページ情報表示部４１、メモリ残量表示部４２、電源残量表示部４３及び操作ガイド表示部５５が設けられている。
【０１３２】
そしてブックマーク削除画面７０においても、初期時、選択されたフォルダに収納された各用件フォルダのうちの作成日時の早い上位６つの用件フォルダについて、その用件フォルダの代表画像として予め設定されたブックマーク画像のサムネイル画像Ｐ１〜Ｐ６が一覧表示される。
【０１３３】
かかるブックマーク削除画面７０において、先頭のサムネイル画像にカーソル３５が合わせられた状態で、ユーザがジョグレバー６Ｅを所定方向（「VIEW」）側に倒すように操作すると、そのサムネイル画像が図１９（Ｂ）に示すように全画面表示される。
【０１３４】
これらサムネイル表示（図１９（Ａ））又は全画面表示（図１９（Ｂ））されたブックマーク削除画面７０において、ユーザがジョグレバー６Ｅを送り（「FF」）側又は戻り（「FR」）側に倒すように操作すると、サムネイル表示の場合にはカーソル３５が次ぎ又は前のサムネイル画像Ｐ１〜Ｐ６を指すように順次移動する一方（図１９（Ｃ））、全画面表示の場合には次ぎ又は前のサムネイル画像Ｐ１〜Ｐ６が順次全画面表示される（図１９（Ｄ））。
【０１３５】
そしてユーザが所望の用件フォルダのサムネイル画像Ｐ１〜Ｐ６について、カーソル３５を合わせた状態又は全画面表示させた状態で、ジョグレバー６Ｅを押圧操作すると、削除を実行するか否かを問うための実行確認画面７１が重畳表示される（図１９（Ｅ）又は（Ｆ））。
【０１３６】
このブックマーク削除画面７０に重畳表示された実行確認画面７１において、「ＹＥＳ」が選択された状態でユーザがジョグレバー６Ｅを押圧操作すると、ブックマーク画像の削除中である旨を表す削除実行画面７２に切り替わる（図１９（Ｇ）又は（Ｈ））。この削除実行画面７２には、「削除中」の文字が大きく表示されると共に、上側左端の「ｉ」マーク７２Ａが点滅するようになされている。
【０１３７】
かかる削除実行画面７２は、用件フォルダ内で削除対象として決定されたブックマーク画像の画像ファイル（圧縮画像データＤ４）が削除されるまでの間（但し、最低１秒間以上）表示される。この結果、ユーザは削除中であることを視覚的に認識することができる。
【０１３８】
なおＣＰＵ２４による信号処理的には、上述の図１０に示す削除モード処理手順ＲＴ１のステップＳＰ６に入ると、当該ステップＳＰ６をサブルーチンとする図２０に示すブックマーク削除処理手順ＲＴ４に移行する。このブックマーク削除処理手順ＲＴ４のステップＳＰ４０において、ＣＰＵ２４は、指定した用件フォルダ内で削除対象となるブックマークが画像データに基づく画像であるか否かを判断する。
【０１３９】
このステップＳＰ４０において肯定結果が得られた場合には、削除対象となるブックマーク画像の画像ファイルを削除した後、ステップＳＰ４１に進んで、画像管理ファイル（図８の「03072400.PIN」）から用件フォルダ内で削除対象となるブックマーク画像についてのピクチャエントリ（「Picture Entry」）を削除した後、図１０に示す削除モード処理手順ＲＴ１のステップＳＰ８に進むと同時にブックマーク削除処理手順ＲＴ４を終了する。
【０１４０】
（５−４）区間削除処理
上述の図１０に示す削除モード処理手順ＲＴ１のステップＳＰ３において、削除画面５１（図１１（Ｂ））の各種項目のうち「区間削除」が選択されたとき、ＣＰＵ２４は、ステップＳＰ７に進んで、区間削除処理を実行する。以下、この区間削除処理について説明する。
【０１４１】
図２１（Ａ）のように、指定されたフォルダ内に「用件１」、「用件２」及び「用件３」で表される第１〜第３の用件フォルダＦＤ１〜ＦＤ３が収納されている場合において、第２の用件フォルダＦＤ２内における２番目のブックマーク（「BM2-2」）から次の３番目のブックマーク（「BM2-3」）までの区間（以下、これをブックマーク区間と呼ぶ）が削除対象とされたとき、当該ブックマーク区間を所定時間（例えば前後５秒間）リピート再生するようにしてユーザに確認を促すようになされている。
【０１４２】
続いてこの第２の用件フォルダＦＤ２内における２番目のブックマーク（「BM2-2」）又は次の３番目のブックマーク（「BM2-3」）のいずれのブックマーク画像を削除するかをユーザの指示により決定する。本実施の形態では２番目のブックマーク画像を削除することにする。
【０１４３】
なお、削除対象として選択されたブックマークが、用件フォルダの最終位置に存在する場合には、実際に録音された音声は存在しないものの、当該ブックマークを削除し得るものとする。
【０１４４】
この結果、ユーザによって指定された第２の用件フォルダＦＤ２内の２番目のブックマーク（「BM2-2」）から次の３番目のブックマーク（「BM2-3」）までのブックマーク区間における音声ファイルが削除されると共に、当該２番目又は３番目のうち指定された方のブックマーク画像の画像ファイルが削除された後、図２１（Ｂ）に示すように、第２の用件フォルダＦＤ２´において削除されたブックマーク区間が結合される。
【０１４５】
因みに、再生中にブックマーク区間を削除した場合には、当該削除処理中は再生を中断し、削除終了後は次の用件フォルダについて再生を開始する。
【０１４６】
具体的には図２２（Ａ）に示す区間削除画面８０が、上述の削除画面５１（図１１（Ｂ））から遷移してＬＣＤ７に表示される。この場合、この区間削除画面８０には、「区間削除」と表示された親階層情報表示部４０、ページ情報表示部４１、メモリ残量表示部４２、電源残量表示部４３及び操作ガイド表示部５５が設けられている。
【０１４７】
そして区間削除画面８０においても、初期時、選択されたフォルダに収納された各用件フォルダのうちの作成日時の早い上位６つの用件フォルダについて、その用件フォルダの代表画像として予め設定されたブックマーク画像のサムネイル画像Ｐ１〜Ｐ６が一覧表示される。
【０１４８】
かかる区間削除画面８０において、先頭のサムネイル画像にカーソル３５が合わせられた状態で、ユーザがジョグレバー６Ｅを所定方向（「VIEW」）側に倒すように操作すると、そのサムネイル画像が図２２（Ｂ）に示すように全画面表示される。
【０１４９】
これらサムネイル表示（図２２（Ａ））又は全画面表示（図２２（Ｂ））された区間削除画面８０において、ユーザがジョグレバー６Ｅを送り（「FF」）側又は戻り（「FR」）側に倒すように操作すると、サムネイル表示の場合にはカーソルが次ぎ又は前のサムネイル画像Ｐ１〜Ｐ６を指すように順次移動する一方（図２２（Ｃ））、全画面表示の場合には次ぎ又は前のサムネイル画像Ｐ１〜Ｐ６が順次全画面表示される（図２２（Ｄ））。
【０１５０】
そしてユーザが所望の用件フォルダのサムネイル画像Ｐ１〜Ｐ６について、カーソル３５を合わせた状態又は全画面表示させた状態で、ジョグレバー６Ｅを押圧操作すると、当該サムネイル画像に対応するブックマークから次のブックマークまでのブックマーク区間を削除対象とすると共に、いずれのブックマーク画像を残すか否かを問うための残存画像決定画面８１が重畳表示される（図２２（Ｅ）又は（Ｆ））。
【０１５１】
この残存画像決定画面８１において残存するブックマーク画像が決定されると、当該残存画像決定画面８１からブックマーク区間の削除を実行するか否かを問うための実行確認画面８２に切り替わる（図２２（Ｇ）又は（Ｈ））。
【０１５２】
なおサムネイル表示（図２２（Ｃ））又は全画面表示（図２２（Ｄ））された区間削除画面８０において、ユーザが選択したブックマークの次のブックマークが存在しない場合には、残存決定画面８１を表示することなく、そのまま実行確認画面８２に切り替わる。
【０１５３】
この区間削除画面８０に重畳表示された実行確認画面８２において、「ＹＥＳ」が選択された状態でユーザがジョグレバー６Ｅを押圧操作すると、ブックマーク区間の削除中である旨を表す削除実行画面８３に切り替わる（図２２（Ｉ）又は（Ｊ））。この削除実行画面８３には、「削除中」の文字が大きく表示されると共に、上側左端の「ｉ」マーク８３Ａが点滅するようになされている。
【０１５４】
かかる削除実行画面８３は、用件フォルダ内で削除対象として決定されたブックマーク区間における音声ファイル（圧縮音声データＤ２）及び画像ファイル（圧縮画像データＤ４）が削除されるまでの間（但し、最低１秒間以上）表示される。この結果、ユーザは削除中であることを視覚的に認識することができる。
【０１５５】
なおＣＰＵ２４による信号処理的には、上述の図１０に示す削除モード処理手順ＲＴ１のステップＳＰ７に入ると、当該ステップＳＰ７をサブルーチンとする図２３に示す区間削除処理手順ＲＴ５に移行する。この区間削除処理手順ＲＴ５のステップＳＰ５０において、ＣＰＵ２４は、指定した用件フォルダ内で削除対象となるブックマーク区間の開始位置のブックマークで用件フォルダを２分割する。
【０１５６】
具体的には、上述した図２１（Ａ）に示す第２の用件フォルダＦＤ２について、図２４（Ａ）〜（Ｅ）において詳述すると、まずこの第２の用件フォルダＦＤ２内における２番目のブックマーク（「BM2-2」）において用件フォルダを音声ファイル「Ａ」及び「Ｂ」に分割する（図２４（Ａ）及び（Ｂ））。
【０１５７】
続いてＣＰＵ２４は、ステップＳＰ５１に進んで、分割後の後半の音声ファイルを、ブックマーク区間の終了位置のブックマークで２分割する。すなわち図２４（Ｃ）のように、第２の用件フォルダＦＤ２内における２番目のブックマーク（「BM2-2」）で分割した後半の音声ファイル「Ｂ」を、ブックマーク区間の終了位置の３番目のブックマーク（「BM2-3」）で音声ファイル「Ｂ１」及び「Ｂ２」に分割する。
【０１５８】
そしてＣＰＵ２４は、ステップＳＰ５２に進んで、削除対象となるブックマーク区間の音声ファイルを削除した後、続くステップＳＰ５３において、当該削除された音声ファイルの前後の音声ファイル同士を結合する。すなわち図２４（Ｄ）のように、ブックマーク区間の音声ファイル「Ｂ１」を削除した後、続く図２４（Ｅ）のように、当該音声ファイル「Ｂ１」の前後の音声ファイル「Ａ」と「Ｂ２」とを結合する。
【０１５９】
この後、ＣＰＵ２４は、ステップＳＰ５４において、削除対象となるブックマークが画像データに基づく画像であるか否かを判断し、肯定結果が得られた場合には、ステップＳＰ５５に進んで、削除対象となるブックマーク画像の画像ファイルを削除した後、ステップＳＰ５６に進む。一方、ステップＳＰ５４において否定結果が得られた場合には、そのままステップＳＰ５６に進む。
【０１６０】
かかるステップＳＰ５６において、ＣＰＵ２４は、画像管理ファイル（図８の「03072400.PIN」）から用件フォルダ内で削除対象となるブックマーク画像についてのピクチャエントリ（「Picture Entry」）を削除した後、図１０に示す削除モード処理手順ＲＴ１のステップＳＰ８に進むと同時に区間削除処理手順ＲＴ５を終了する。
【０１６１】
（６）本実施の形態の動作及び効果
以上の構成において、このカメラ付きＩＣレコーダ１では、録音時にユーザが所望のタイミングで撮影した各静止画像をそれぞれブックマーク画像として、その録音した音声の音声ファイルと関連づけてフラッシュメモリ３０に登録しておく。
【０１６２】
またカメラ付きＩＣレコーダ１では、再生時に必要に応じて、フラッシュメモリ３０に記録保存されている各フォルダ内の用件フォルダごとに、それぞれの用件フォルダについて、ユーザが所望するタイミングでブックマークを付加し又は撮影動作を行い、当該ブックマーク又は撮影された静止画像（すなわちブックマーク画像）を対応する音声の音声ファイルと関連つけてフラッシュメモリ３０に登録しておく。
【０１６３】
そしてカメラ付きＩＣレコーダ１では、１つのフォルダ（図７の「FOLDER1」〜「FOLDER3」）が選択されてブックマーク画像選択画面３４の表示命令が与えられたときには、そのフォルダ内の各音声ファイル（各用件フォルダ）について、かかる音声ファイルと関連づけて記録保存されたブックマーク画像のサムネイル画像Ｐ１〜Ｐ６を作成してブックマーク画像選択画面３４に一覧表示する。
【０１６４】
ここでこのカメラ付きＩＣレコーダ１では、ユーザが選択した用件フォルダについて、ｋ番目のブックマークから次の（ｋ＋１）番目のブックマークまでのブックマーク区間を削除対象として指定されると、当該ブックマーク区間における音声ファイルを削除した後、かかるブックマーク区間の前後の音声ファイルを結合する。
【０１６５】
その際、このカメラ付きＩＣレコーダ１では、ユーザが指定したブックマーク区間について、ｋ番目又は（ｋ＋１）番目のいずれか一方のブックマーク画像が削除対象として指定されると、当該ユーザが指定した方のブックマーク画像の画像ファイルのみを削除する。
【０１６６】
このようにこのカメラ付きＩＣレコーダ１では、フラッシュメモリ３０に記録保存された音声ファイルのうち不要な一部分を削除する場合、ブックマーク画像選択画面３４にサムネイル画像Ｐ１〜Ｐ６として一覧表示された各ブックマーク画像を基準としてブックマーク区間を指定するだけで、当該ブックマーク区間の音声ファイルを削除した後、当該ブックマーク区間の前後の音声ファイルを結合することができる。
【０１６７】
従って、このカメラ付きＩＣレコーダ１では、一覧表示された各ブックマーク画像を目視確認しながら削除対象となるブックマーク区間を指定することができるため、従来のような不要部分の開始時点及び終了時点を指定してファイルを作成して、当該ファイルを削除した後に分割されたファイル同士を結合する一連の作業を行う場合と比較して、格段的に迅速かつ容易に音声ファイルを編集することができ、編集性を格段的に向上させることができる。
【０１６８】
以上の構成によれば、このカメラ付きＩＣレコーダ１において、フラッシュメモリ３０に記録保存された音声ファイルのうち不要な一部分を削除する場合、ブックマーク画像選択画面３４にサムネイル画像Ｐ１〜Ｐ６として一覧表示された各ブックマーク画像を基準としてブックマーク区間を指定するだけで、当該ブックマーク区間の音声ファイルを削除した後、当該ブックマーク区間の前後の音声ファイルを結合するようにしたことにより、ユーザがブックマーク画像を編集の目印として利用することができ、かくして所望する音声情報のファイルの編集性を向上させて、使い勝手を格段的に向上させ得るカメラ付きＩＣレコーダ１を実現できる。
【０１６９】
（７）他の実施の形態
なお上述の実施の形態においては、本発明をＩＣレコーダ（カメラ付きＩＣレコーダ１）に適用するようにした場合について述べたが、本発明はこれに限らず、この他種々の記録再生装置に広く適用することができる。この場合において、かかる記録再生装置が、録音や撮影により得られた音声ファイルや画像ファイルを記録保存する記録媒体としてフラッシュメモリ３０以外の記録媒体を採用しているものであっても本発明を適用することができる。
【０１７０】
また上述の実施の形態においては、用件ファイル選択画面３３やブックマーク画像選択画面３４において、用件ファイルの代表画像として設定された画像のサムネイル画像Ｐ１〜Ｐ６を６つ表示するようにした場合について述べたが、本発明はこれに限らず、用件ファイル選択画面３３等に表示するかかるサムネイル画像Ｐ１〜Ｐ６の数は６つ以外であっても良い。
【０１７１】
さらに上述の実施の形態においては、選択された音声情報のファイルの一部が不要とされた場合、表示手段に表示されている各画像のうちファイルの一部の開始時点及び終了時点に位置する各画像を指定するための画像指定手段として、ジョグレバー６Ｅを適用し、図２２（Ａ）〜（Ｊ）における区間削除画面８０の表示内容に従ってジョグレバー６Ｅを操作するようにした場合について述べたが、本発明はこれに限らず、この他種々の構成からなる画像指定手段に広く適用しても良い。
【０１７２】
さらに上述の実施の形態においては、ジョグレバー（画像指定手段）６Ｅにより指定された開始時点の画像から終了時点の画像までの区間に対応するファイルの一部を削除した後、当該区間の前後のファイルの残部を結合する編集手段として、ＣＰＵ２４を適用した場合について述べたが、本発明はこれに限らず、要は、ユーザが画像（ブックマーク画像）を編集の目印として利用することができれば、この他種々の構成からなる編集手段に広く適用するようにしても良い。
【産業上の利用可能性】
【０１７３】
本発明はカメラ付きＩＣレコーダのほか、この他種々の記録再生装置に広く適用することができる。
【図面の簡単な説明】
【０１７４】
【図１】本実施の形態によるカメラ付きＩＣレコーダのＬＣＤカバー部が閉状態時における外観構成を示す斜視図である。
【図２】本実施の形態によるカメラ付きＩＣレコーダのＬＣＤカバー部が閉状態時における外観構成を示す斜視図である。
【図３】本実施の形態によるカメラ付きＩＣレコーダのＬＣＤカバー部が開状態時における外観構成を示す斜視図である。
【図４】カメラカバーの回転状態の説明に供する略線図である。
【図５】本実施の形態によるカメラ付きＩＣレコーダの内部構成を示すブロック図である。
【図６】用件フォルダ選択画面の概略構成を示す平面図である。
【図７】ボイスケープフォーマットのディレクトリ構造を示す概念図である。
【図８】用件フォルダ管理ファイルのデータ構造の説明に供する概念図である。
【図９】画像管理ファイルのデータ構造の説明に供する概念図である。
【図１０】削除モード処理手順を示すフローチャートである。
【図１１】メニュー画面及び削除画面の表示状態の説明に供する略線的な平面図である。
【図１２】１用件削除処理の概要の説明に供する概念図である。
【図１３】１用件削除画面の表示状態に説明に供する略線的な平面図である。
【図１４】１用件削除処理手順を示すフローチャートである。
【図１５】フォルダ内全用件削除処理の概要の説明に供する概念図である。
【図１６】実行確認画面及び削除実行画面の表示状態の説明に供する略線的な平面図である。
【図１７】フォルダ内全用件削除処理手順を示すフローチャートである。
【図１８】ブックマーク削除処理の概要の説明に供する概念図である。
【図１９】ブックマーク削除画面の表示状態の説明に供する略線的な平面図である。
【図２０】ブックマーク削除処理手順を示すフローチャートである。
【図２１】区間削除処理の概要の説明に供する概念図である。
【図２２】区間削除画面の表示状態の説明に供する略線的な平面図である。
【図２３】区間削除処理手順を示すフローチャートである。
【図２４】区間削除処理の詳細内容の説明に供する概念図である。
【符号の説明】
【０１７５】
１……カメラ付きＩＣレコーダ、３……ＣＣＤカメラ、６……操作部、６Ａ……録音ボタン、６Ｂ……ライブビューボタン、６Ｃ……カメラシャッタボタン、６Ｄ……メニューボタン、６Ｅ……ジョグレバー、６Ｆ……停止ボタン、７……ＬＣＤ、２０Ａ、２０Ｂ……マイクロホン、２４……ＣＰＵ、２５……ＲＯＭ、３０……フラッシュメモリ、３２……スピーカ、３４……ブックマーク画像選択画面、５０……メニュー画面、５１……削除画面、６０……１用件削除画面、７０……ブックマーク削除画面、８０……区間削除画面、Ｄ１……音声データ、Ｄ２……圧縮音声データ、Ｄ３……画像データ、Ｄ４……圧縮画像データ、ＲＴ１……削除モード処理手順、Ｓ１……音声信号、Ｓ５……画像信号。
【図１】
2006074516.tif 000003
【図２】
2006074516.tif 000004
【図３】
2006074516.tif 000005
【図４】
2006074516.tif 000006
【図５】
2006074516.tif 000007
【図６】
2006074516.tif 000008
【図７】
2006074516.tif 000009
【図８】
2006074516.tif 000010
【図９】
2006074516.tif 000011
【図１０】
2006074516.tif 000012
【図１１】
2006074516.tif 000013
【図１２】
2006074516.tif 000014
【図１３】
2006074516.tif 000015
【図１４】
2006074516.tif 000016
【図１５】
2006074516.tif 000017
【図１６】
2006074516.tif 000018
【図１７】
2006074516.tif 000019
【図１８】
2006074516.tif 000020
【図１９】
2006074516.tif 000021
【図２０】
2006074516.tif 000022
【図２１】
2006074516.tif 000023
【図２２】
2006074516.tif 000024
【図２３】
2006074516.tif 000025
【図２４】
2006074516.tif 000026